(57)【要約】【課題】  各メインバー相互の突き合わせ部を目立ち難くして美観性を高め得るグレーチングを提供する。【解決手段】  各メインバー２の端部を突き合わせて溝路の長手方向に沿って連続状に被着されるグレーチング１にあって、長手方向で対向することとなる各メインバー２の端部を交互に突出させて、各メインバー２の端部が互い違い状に突き合わせられるようにした。【選択図】  図３
0003120818.tif 000002
【実用新案登録請求の範囲】
【請求項１】
溝路の長手方向に沿う複数のメインバーと、各メインバーに直交状に差し渡された複数のクロスバーとを備え、各メインバーの端部を突き合わせて溝路の長手方向に沿って連続状に被着されるグレーチングにおいて、
長手方向で対向することとなる各メインバーの端部が交互に突出されて、各メインバーの端部が互い違い状に突き合わせられることを特徴とするグレーチング。
【請求項２】
各メインバーが夫々同一長さに形成され、幅方向で隣接するメインバー相互を長手方向に沿って相反方向に交互にずらして配設したことを特徴とする請求項１記載のグレーチング。
【考案の詳細な説明】
【技術分野】
【０００１】
本考案は、側溝等に被着して溝蓋として使用したり、建造物の床面に形成される空調吹き出し溝或いはエアバリア吹き出し溝に被着してルーバーとして使用されるグレーチングに関する。
【背景技術】
【０００２】
所定間隔で並列した複数のメインバーと、各メインバーに直交状に差し渡された複数のクロスバーとを備えたグレーチングにあって、各メインバーが溝路の長手方向に沿う向きで組み付けられたグレーチングが知られている。かかるグレーチングは、その両側縁が、側溝、空調吹き出し溝或いはエアバリア吹き出し溝等の溝路の両側壁上部に配設された一対の受縁に支持されて溝路に被着されることにより、各メインバーが溝路の長手方向に沿って延在するものとなっている。
【考案の開示】
【考案が解決しようとする課題】
【０００３】
ところで、上記のようなグレーチングを溝路の長手方向に沿って連続状に被着する場合、従来のグレーチングａは、図９（ａ）に示すように、その端部が幅方向に沿って直線状に切断されていることにより、各グレーチングａの端部を突き合わせると、図９（ｂ）に示すように長手方向で対向する各メインバーｂ，ｂ相互の突き合わせ部ｃが幅方向に沿って直線状に並ぶため、該突き合わせ部ｃが目立ち、見た目が悪いという問題点があった。
【０００４】
本考案は、かかる問題点を解消するものであり、各メインバー相互の突き合わせ部を目立ち難くして美観性を高め得るグレーチングを提供することを目的とするものである。
【課題を解決するための手段】
【０００５】
本考案は、溝路の長手方向に沿う複数のメインバーと、各メインバーに直交状に差し渡された複数のクロスバーとを備え、各メインバーの端部を突き合わせて溝路の長手方向に沿って連続状に被着されるグレーチングにおいて、長手方向で対向することとなる各メインバーの端部が交互に突出されて、各メインバーの端部が互い違い状に突き合わせられることを特徴とするグレーチングである。
【０００６】
ここで、前記各メインバーが夫々同一長さに形成され、幅方向で隣接するメインバー相互を長手方向に沿って相反方向に交互にずらして配設する構成が提案される。
【考案の効果】
【０００７】
本発明は、上述したように、溝路の長手方向に沿う複数のメインバーと、各メインバーに直交状に差し渡された複数のクロスバーとを備え、各メインバーの端部を突き合わせて溝路の長手方向に沿って連続状に被着されるグレーチングにおいて、長手方向で対向することとなる各メインバーの端部を交互に突出させて、各メインバーの端部が互い違い状に突き合わせられるようにしたグレーチングであるから、該グレーチングを溝路の長手方向に沿って連続状に被着して長手方向で対向する各メインバーの端部を突き合わせると、幅方向で隣接するメインバーの各突き合わせ部が、溝路の長手方向に沿って相反方向に交互にずれた状態となる。これにより、各メインバー相互の突き合わせ部が目立ち難くなり、従来構成に比して美観性を高めることができる。
【０００８】
また、前記各メインバーが夫々同一長さに形成され、幅方向で隣接するメインバー相互を長手方向に沿って相反方向に交互にずらして配設する構成にあっては、各メインバーが同一長さであるため該メインバーの切断成形加工が簡単であり、この同一長さの各メインバーを用いて、幅方向で隣接するメインバー相互を長手方向に沿って相反方向に交互にずらして配設することにより、各メインバーの端部を交互に突出させることができるため、グレーチングの生産を容易に行うことができる。
【考案を実施するための最良の形態】
【０００９】
以下に、本考案にかかるグレーチングの一実施例を、図１〜図８に基づいて説明する。グレーチング１は、図１（ａ）に示すように、溝路の長手方向に沿う複数のメインバー２と、各メインバー２に直交状に差し渡された複数のクロスバー３とからなり、前記各メインバー２は幅方向に所定間隔で並列される一方、前記クロスバー３は長手方向に所定間隔で並列されている。各メインバー２及びクロスバー３の材質としては、ステンレス，アルミニウム，スチール等の金属や塩化ビニル等の硬質合成樹脂が用いられ得る。
【００１０】
メインバー２は、図２に示すように、上端に広幅部を備えた断面略Ｔ字形の型材やプレス成形材等からなるメインバー基材を長尺な所定の長さに切断したものが用いられている。尚、メインバー２の基材としては、このような断面略Ｔ字形のＴバー以外に、断面矩形の偏平なフラットバーや上下両端に夫々広幅部を備えた断面略Ｉ字形のＩバーを用いることも可能である。また、これらの基材の上端面に凹凸状の滑り止め加工面４（図３（ａ）参照）が設けられていてもよい。
【００１１】
各メインバー２は、前記メインバー基材の切断成形加工によって夫々同一長さに形成されており、図３（ａ）に示すように、幅方向で隣接するメインバー２相互を長手方向に沿って相反方向に交互にずらして配設されている。これによって、各メインバー２の端部を突き合わせて溝路の長手方向に沿って連続状に被着した状態において、図３（ｂ）に示すように、長手方向で対向することとなる各メインバー２の端部が交互に突出して、その端部を互い違い状に突き合わせ得るようになっている。
【００１２】
また、各メインバー２には、図４に示すように、幅方向で一致する位置に複数の角形連結孔５が長手方向に一定間隔で形成されている。該角形連結孔５は、その形状を単純な正四角形とし、プレスによる打ち抜き加工によって形成されている。
【００１３】
一方、クロスバー３は、図５，図６に示すように、前記メインバー２の角形連結孔５と略同一断面形状の角形に成形された型材からなり、これを短尺な所定の長さに切断したものが用いられている。各クロスバー３には、複数の切り込み溝７が長手方向に沿って所定間隔毎に形成されている。
【００１４】
そして、各メインバー２の角形連結孔５にクロスバー３を挿通して該クロスバー３の各切り込み溝７を角形連結孔５に一致させた状態で、クロスバー３を略４５°回動させて、各切り込み溝７を各角形連結孔５に強制嵌合させることにより、図７に示すように、各メインバー２とクロスバー３とを組み付けるようにしている。
【００１５】
これにより、図１（ａ）に示すグレーチング１が形成されている。尚、溝路の始端または終端に被着されるグレーチング１は、図１（ｂ），（ｃ）に示すように、一方の端部を幅方向に沿って直線状に揃えた直線端８とすることが好ましい。
【００１６】
かかる構成にあって、グレーチング１を溝路の長手方向に沿って連続状に被着して長手方向で対向する各メインバー２の端部を突き合わせると、図３（ｂ）に示すように、幅方向で隣接するメインバー２の各突き合わせ部９が、溝路の長手方向に沿って相反方向に交互にずれた状態となる。これにより、各メインバー２相互の突き合わせ部９が目立ち難くなり、従来構成に比して美観性を高めることができる。
【００１７】
また、各メインバー２を同一長さとすることにより、該メインバー２の切断成形加工が簡単となり、この同一長さの各メインバー２を用いて、幅方向で隣接するメインバー２相互を長手方向に沿って相反方向に交互にずらして配設することにより、各メインバー２の端部を交互に突出させることができるため、各メインバー２の端部を一本置きに切断して短くしたり、或いは長さの異なる長短二種類のメインバーを形成するような面倒な作業が不要であり、これによってグレーチングの生産性を向上させることができる。
【００１８】
尚、上記実施例では、直線状に形成したグレーチング１を示したが、本考案にかかるグレーチング１は、図８に示すように、円弧状に形成することも可能である。
【図面の簡単な説明】
【００１９】
【図１】本考案にかかるグレーチング１の平面図である。
【図２】同上のグレーチング１の側面図である。
【図３】（ａ）は同上のグレーチング１の中間部分を省略して示す拡大平面図、（ｂ）はメインバー２の端部の突き合わせ部９を示す説明図である。
【図４】中間部分を省略して示すメインバー２の正面図である。
【図５】クロスバー３の部分斜視図である。
【図６】同上のクロスバー３の部分正面図である。
【図７】メインバー２とクロスバー３の組付け状態を示す部分斜視図である。
【図８】円弧状に形成したグレーチング１の平面図である。
【図９】（ａ）は従来のグレーチングａの中間部分を省略して示す拡大平面図、（ｂ）は従来のグレーチングａの突き合わせ部ｃを示す説明図である。
【符号の説明】
【００２０】
１  グレーチング
２  メインバー
３  クロスバー
【図１】
0003120818.tif 000003
【図２】
0003120818.tif 000004
【図３】
0003120818.tif 000005
【図４】
0003120818.tif 000006
【図５】
0003120818.tif 000007
【図６】
0003120818.tif 000008
【図７】
0003120818.tif 000009
【図８】
0003120818.tif 000010
【図９】
0003120818.tif 000011